(57)【特許請求の範囲】
【請求項１】
電子部品の実装されているユニットと、開口部から該ユニットが出し入れされる収納空間が内部に形成されている機器筐体と、を備え、
前記ユニットは、前記電子部品の搭載されているユニット底板を有し、該ユニット底板には、該ユニット底板の成形で、下方に突出した突起部が形成され、
前記機器筐体は、前記ユニット底板と対向し、前記収納空間の底面を形成するユニット載置板を有し、該ユニット載置板には、該ユニット載置板の成形で、上方に突出した突起部が形成され、
前記ユニット載置板の前記突起部は、前記収納空間内に収納された前記ユニットの前記突起部の位置よりも前記開口部側であって、該ユニットを該収納空間から出す際に該ユニットの前記突起部と接触し得る位置に設けられ、前記ユニット載置板に沿った方向であって、前記収納空間に対する前記ユニットの出し入れ方向と直交する幅方向に延び、かつ、該幅方向における該ユニット載置板の一方の端から他方の端まで形成されている、
ことを特徴とする電子機器。
【請求項２】
前記ユニット載置板の前記突起部は、前記収納空間に対する前記ユニットの出し入れ方向における該ユニット載置板の中央位置よりも、前記開口部の側に設けられることを特徴とする請求項１に記載の電子機器。
【請求項３】
前記ユニット底板の前記突起部は、前記ユニット底板に沿った方向で沿った方向であって、前記収納空間に対する前記ユニットの出し入れ方向と直交する幅方向の両側に寄ったそれぞれの位置に、設けられていることを特徴とする請求項１又は２に記載の電子機器。
【発明の詳細な説明】
【技術分野】
【０００１】
本発明は電子機器に係り、特に、機器筐体内に着脱自在に装着されるユニットを備えたものに関する。
【背景技術】
【０００２】
ＲＡＩＤ（Redundant Arrays of Inexpensive Disks）装置やサーバ装置等の電子機器は、ケース内に各種電子部品を実装して構成されたユニットを、電子機器の外形形状をなす機器筐体内に装着して構成されている。そして、ユニットは、機器筐体内に着脱自在に装着できるように構成され、ユニットの交換や修理、あるいは保守・管理作業が容易にできるように配慮されている。すなわち、ＲＡＩＤ装置等の電子機器は、金属製からなる機器筐体で構成されているとともに、その機器筐体内には、各種電子部品及びこれを実装した金属製のケースを有するユニットが出し入れ自在に装着できるように構成されている。
【０００３】
上述のユニットは、比較的重量が嵩むので、作業者がユニットの重量を考慮することなく抜き取り作業を行ったとき、つまり、不用意に抜き取り作業を行ったとき、ユニットが機器筐体から離れた瞬間、そのユニットの重量により作業者の手から離れて落下するおそれがある。このため、ユニットが損傷を受けたり、あるいは、落下したユニットが他の部材に衝突してその部材を損傷させたりするおそれがある。
【０００４】
上述の欠点を防止するために、特許文献１では、開口部近くまでユニットが引き出されたときに微振動を発生させる微振動発生機構を設け、ユニットが開口部近くまで引き出されたことを作業者に感知させるようにして、落下を防止するようにしている。この微振動発生機構は、ユニットのケースにビス等で固定され、下方に突出した突起が形成されている突起部品と、機器筐体のユニット載置板にビス等で固定され、上方に突出した突起部品と、を有している。
【先行技術文献】
【特許文献】
【０００５】
【特許文献１】特開２００６−２３６５２２号公報
【発明の概要】
【発明が解決しようとする課題】
【０００６】
機器筐体からユニットを抜き取る際の落下防止のため、上述の特許文献１に示されるように、微振動発生機構を設けると、部品点数が増加して構造が複雑となるだけでなく、機器筐体内に微振動発生機構等を収容するための空間を必要として機器筐体が大型化するとともに、コスト高になるという新たな問題点が発生してしまう。このため、構造が簡単で、しかもユニットが機器筐体から抜き取られる際の落下を確実に防止することのできる電子機器の出現が待たれている。
【０００７】
本発明は、上記要望に応えるためになされたものであって、その目的は、上記問題点を解決することができる電子機器を提供することにある。
【課題を解決するための手段】
【０００８】
本発明に係る電子機器は、上記目的を達成するために、電子部品の実装されているユニットと、開口部から該ユニットが出し入れされる収納空間が内部に形成されている機器筐体と、を備え、前記ユニットは、前記電子部品の搭載されているユニット底板を有し、該ユニット底板には、該ユニット底板の成形で、下方に突出した突起部が形成され、前記機器筐体は、前記ユニット底板と対向し、前記収納空間の底面を形成するユニット載置板を有し、該ユニット載置板には、該ユニット載置板の成形で、上方に突出した突起部が形成され、前記ユニット載置板の前記突起部は、前記収納空間内に収納された前記ユニットの前記突起部の位置よりも前記開口部側であって、該ユニットを該収納空間から出す際に該ユニットの前記突起部と接触し得る位置に設けられ、前記ユニット載置板に沿った方向であって、前記収納空間に対する前記ユニットの出し入れ方向と直交する幅方向に延び、かつ、該幅方向における該ユニット載置板の一方の端から他方の端まで形成されていることを特徴とする。
【発明の効果】
【０００９】
本発明によれば、部品点数を増加させず且つ機器筐体を大型化させずに、ユニットが機器筐体から抜き取られる際の落下を防止することができる。
【図面の簡単な説明】
【００１０】
【図１】本発明に係る第一実施形態における電子機器の概略構成を示す断面図であって、同図（ａ）〜（ｄ）は、機器筐体にユニットを装着する状態を示している。
【図２】本発明に係る第一実施形態における電子機器の概略構成を示す断面図であって、同図（ａ）〜（ｃ）は、機器筐体に装着されているユニットを抜き出す状態を示している。
【図３】本発明に係る第二実施形態における電子機器の斜視図である。
【図４】本発明に係る第二実施形態における電子機器の機器筐体から一部のユニットを抜き出した状態の要部斜視図である。
【図５】図４中のＹ矢視図である。
【図６】図３中のＸ−Ｘ線の断面図であって、同図（ａ）〜（ｄ）は、機器筐体に装着されているユニットを抜き出す状態を示している。
【発明を実施するための形態】
【００１１】
以下、本発明に係る電子機器の各種実施形態について、図面を用いて説明する。
【００１２】
「第一実施形態」
まず、図１及び図２を用いて、本発明に係る電子機器の第一実施形態について説明する。なお、図１及び図２は、電子機器の概略構成を示す断面図であって、図１（ａ）〜（ｄ）は、機器筐体にユニットを入れる状態を示し、図２（ａ）〜（ｃ）は、機器筐体に入っているユニットを抜き出す状態を示している。
【００１３】
本実施形態の電子機器は、機器筐体１とユニット１０とを備えている。以下、図１（ａ）を用いて機器筐体１について説明する。この機器筐体１は、金属製からなり、プレス加工等により作られている。そして、その内部には、ユニット１０を収納するための収納空間２が設けられている。この収納空間２の底面を形成するユニット載置板３には、収納空間２の開口部４側に、ユニット載置板３の成形で、上方に突出した突起部（以下、「筐体突起部」）５が形成されている。筐体突起部５は、ユニット載置板３をプレス加工することで形成されている。
【００１４】
次に、ユニット１０について説明する。このユニット１０は、収納空間２の開口部４から挿入できる大きさに形成されていて、金属製のケース内にＣＰＵ等の各種電子部品１１，１１…を実装して構成され、所定の重量を有している。
【００１５】
ユニット１０に実装される電子部品１１は、金属製のケースの底板に当たるユニット底板１２上設けられている。このユニット底板１２には、ユニット１０の挿入端部側（図１おいて右端側）に、ユニット底板１２の成形で、下方に突出した突起部（以下、「ユニット突起部」）１３が形成されている。このユニット突起部１３は、ユニット１０の挿入端部側で、且つ、収納空間２に対するユニット１０の出し入れ方向と直交する幅方向における両側に寄ったそれぞれの位置に、設けてもよい。この場合は、ユニット載置板３上にユニット１０を安定して載置できる。
【００１６】
ユニット突起部１３と筐体突起部５との位置関係は、ユニット１０が収納空間２に装着されたときに（図１（ｄ）参照）、筐体突起部５の位置よりも奥側となるように決められている。
【００１７】
なお、前述の筐体突起部５の突出高さは、ユニット突起部１３がユニット載置板３上を摺動するときに、一時的に係止できるように決められているとともに、筐体突起部５上にユニット突起部１３が位置したときに、ユニット１０の上端が収納空間２の天井に当たらないように決められている（図１（ｃ）及び図２（ｂ）参照）。
【００１８】
上記構成からなる電子機器におけるユニット１０の機器筐体１に対する装着動作を図１（ａ）〜（ｄ）を用いて説明する。
【００１９】
先ず、各種電子部品１１，１１…が実装されたユニット１０を収納空間２の開口部４と対向させる（図１（ａ）参照）。次に、ユニット１０の挿入先端部を収納空間２の開口部４に入れ（図１（ｂ）参照）、ユニット１０をそのまま収納空間２内に押し込む。この過程で、ユニット１０に設けられているユニット突起部１３が筐体突起部５に当たり、一旦、このユニット１０がこの位置に係止される。そして、ユニット突起部１３は筐体突起部５上に至る（図１（ｃ）参照）。ユニット突起部１３が筐体突起部５を乗り越え、ユニット１０の前面側が収納空間２の開口部４の面と一致するまで挿入されると、機器筐体１に対するユニット１０の装着が完了する（図１（ｄ）参照）。なお、ユニット１０の装着後、必要に応じて、ユニット１０を機器筐体１にビス等で固定してよい。
【００２０】
次に、図２（ａ）〜（ｃ）を用いて、機器筐体１からユニット１０の抜き出し動作を説明する。
【００２１】
図１（ｄ）に示すユニット装着状態から、ユニット１０を抜き出す際、ユニット１０をビス等で機器筐体１に固定している場合には、このビスを外す。そして、収納空間２内のユニット１０を抜き出す。この過程で、ユニット１０に設けられているユニット突起部１３が筐体突起部５に当たったところで、一旦、このユニット１０がこの位置に係止される（図２（ａ）参照）。筐体突起部５は、開口部４の近くに設けられているので、ユニット１０の大部分が抜き出された状態となり、作業者に対して抜き出し作業の注意が喚起される。また、作業者が不用意に抜き出し動作を行っても、それ以上の抜き出しが一旦阻止されるので、ユニット１０の重量によりユニット１０が作業者の手から離れて落下するのを防止することができる。
【００２２】
ユニット突起部１３は筐体突起部５に当たってから、筐体突起部５上に至る（図２（ｂ）参照）。そして、ユニット突起部１３が筐体突起部５を乗り越え、機器筐体１からユニット１０の抜き出しが完了する（図２（ｃ）参照）。なお、ユニット突起部１３が筐体突起部５に当たった際、作業者が、ユニット１０を僅かに持ち上げて、ユニット突起部１３を筐体突起部５上に上げると、作業者は、ユニット１０の重量をある程度認識しつつ、ユニット１０の抜き出しを行うことになる。この場合、作業者は、ユニット１０が収納空間２内から抜き出たときには（図２（ｃ）参照）、ユニット１０の重量をある程度認識しているため、ユニット１０をしっかりと保持することができる。
【００２３】
本実施形態の電子機器では、機器筐体１のユニット載置板３に筐体突起部５が設けられ、ユニット１０のユニット底板１２にユニット突起部１３が設けられているので、作業者が機器筐体１内に装着されているユニット１０を不用意に抜き出したときでも、ユニット突起部１３が筐体突起部５に一時的に係止されるため、ユニット１０が機器筐体１から外れて落下する事態を防止することができる。しかも、ユニット載置板３のプレス加工によりこのユニット載置板３に筐体突起部５が形成され、ユニット底板１２のプレス加工によりこのユニット底板１２にユニット突起部１３が形成されているので、部品点数の増加を回避することができる。よって、当該電子機器を、容易に、かつ、安価に製造することができる。さらに、本実施形態の電子機器では、筐体突起部５及びユニット突起部１３が機器筐体１内に余分なスペースを必要としないので、機器の大型化を回避することができる。
【００２４】
「第二実施形態」
次に、図３〜図６を用いて本発明に係る電子機器の第二実施形態について説明する。
【００２５】
本実施形態の電子機器は、ＲＡＩＤ（Redundant Arrays of Inexpensive Disks）装置ａである。このＲＡＩＤ装置ａは、図３及び図４に示すように、機器筐体１と、その機器筐体１内に装着された第１ユニット１０ａ及び第２ユニット１０ｂとを含んで構成されている。
【００２６】
第１ユニット１０ａは、ＣＰＵを中心に構成されたコントローラであり、第２ユニット１０ｂも第１ユニット１０ａと同様にＣＰＵを中心に構成されたコントローラである。すなわち、ＲＡＩＤ装置ａには、同一構成のコントローラとしてのユニット１０ａ，１０ｂが二組搭載されていて冗長性が保たれている。
【００２７】
第１ユニット１０ａ及び第２ユニット１０ｂは、同一構成であるので、以下、第１ユニット１０ａを例にして、機器筐体１から第１ユニット１０ａを抜き出した状態の斜視図である図４を用いて説明する。なお、上述した第一実施形態と同一構成要素については同一符号を用いて説明する。
【００２８】
機器筐体１は、周知の各種電子機器の機器筐体と同様に金属製からなり、プレス加工等により作られている。そして、この機器筐体１の外形形状は、平面形状が長方形を呈した直方体からなり、その内部上方には、第１ユニット１０ａを収納する第１収納空間２ａが設けられているとともに、その下方には、第２ユニット１０ｂを収納する第２収納空間２ｂが設けられている。
【００２９】
機器筐体１には、第１収納空間２ａの底板を形成するユニット載置板３と、第２収納空間２ｂの底板を形成するユニット載置板（不図示）とを有している。第１収納空間２ａの底板を形成するユニット載置板３は、機器筐体１の内部を上下二つの空間２ａ，２ｂに仕切る仕切り板としての役目も成している。また、第２収納空間２ｂの底板を形成するユニット載置板（不図示）は、機器筐体１の底板としての役目も担っている。
【００３０】
平面形状が長方形を呈した直方体からなる機器筐体１で、その長方形の一短辺に相当する部分（図３及び図４において左側の端面）は、開放されていて、第１開口部４ａ及び第２開口部４ｂが形成されている。すなわち、第１収納空間２ａに対応する部分が第１開口部４ａに形成されているとともに、第２収納空間２ｂに対応する部分が第２開口部４ｂに形成されている。
【００３１】
機器筐体１のユニット載置板３には、このユニット載置板３の成形で、上方に突出した筐体突起部５が形成されている。すなわち、この筐体突起部５は、ユニット載置板３をプレス加工することによりユニット載置板３と一体的に作られている。この筐体突起部５は、ユニット載置板３の中央部よりも第１開口部４ａ側に設けられている。また、この筐体突起部５は、ユニット載置板３に沿った方向であって、第１収納空間２ａに対する第１ユニット１０ａの出し入れ方向と直交する幅方向に延び、且つ、この幅方向におけるユニット載置板３の一方の端から他方の端まで形成されている。このため、このユニット載置板３は、第1ユニット１０ａの出し入れ方向に延びる仮想軸回りの剛性が高くなっている。よって、ユニット載置板３上に第１ユニット１０ａが載った際、ユニット載置板３の前述の幅方向における中央部の変形量を小さくすることができる。なお、筐体突起部５は、第２収納空間２ｂの底面を形成する前述のユニット載置板にも設けられている。
【００３２】
第１ユニット１０ａは、第１収納空間２ａの第１開口部４ａから挿入できる大きさに形成されていて、金属製のケース内にＣＰＵ等の各種電子部品１１，１１…を実装して構成され、所定の重量を有している。そして、この第１ユニット１０ａに実装される電子部品１１は、金属製のケースの底板に当たるユニット底板１２上設けられている。
【００３３】
このユニット底板１２には、図４及び図５に示されるように、第１ユニット１０ａの挿入端部側（図４おいて右端側）に、ユニット底板１２の成形で、上方に突出した二つのユニット突起部１３ａ，１３ｂが形成されている。これらユニット突起部１３ａ，１３ｂは、第１ユニット１０ａの挿入端部側で、かつ、その出し入れ方向と直交する方向の両側近くに設けられる。このように両側に設けた場合、ユニット載置板３上に第１ユニット１０ａを安定して載置できる。
【００３４】
この第１ユニット１０ａの大きさは、第１開口部４ａから挿入できるように決められているとともに、その奥行きは、第１ユニット１０ａが第１収納空間２ａに装着されたとき（図６（ａ）参照）の挿入端部側に、第１収納空間２ａに実装される電源装置や各種カード等の電子部品１４が収容できる空間を確保することができるように決められている。
【００３５】
各ユニット突起部１３ａ，１３ｂと筐体突起部５との位置関係は、第１ユニット１０ａが第１収納空間２ａに装着されたときに（図６（ａ）参照）、筐体突起部５の位置よりも奥側となるように決められている。また、前述の筐体突起部５の突出高さは、各ユニット突起部１３ａ，１３ｂがユニット載置板３上を摺動するときに、一時的に係止できるように決められているとともに、筐体突起部５上に各ユニット突起部１３ａ，１３ｂが位置したときに、第１ユニット１０ａの上端が第１収納空間２ａの天井に当たらないように決められている（図６（ｃ））参照）。
【００３６】
なお、本実施形態では、第２ユニット１０ｂにも、第１ユニット１０ａと同様に、ユニット突起部が形成されている。このユニット突起部は、第２収納空間２ｂの底面を形成するユニット載置板の筐体突起部５に対応するものである。
【００３７】
次に、図６（ａ）〜（ｄ）を用いて、機器筐体１から第１ユニット１０ａの抜き出し動作を説明する。なお、第１ユニット１０ａの機器筐体１に対する装着動作については、第一実施形態と同様であるため、ここではその説明を省略する。
【００３８】
図６（ａ）に示すユニット装着状態から、第１ユニット１０ａを抜き出す際、第１ユニット１０ａをビス等で機器筐体１に固定している場合には、このビスを外す。そして、第１収納空間２ａ内の第１ユニット１０ａを抜き出す。この過程で、第一実施形態と同様、第１ユニット１０ａに設けられているユニット突起部１３ａ，１３ｂが筐体突起部５に当たったところで、一旦、この第１ユニット１０ａがこの位置に係止される（図６（ｂ）参照）。筐体突起部５は、第１開口部４ａの近くに設けられているので、第１ユニット１０ａの大部分が抜き出された状態となり、作業者に対して抜き出し作業の注意が喚起される。また、作業者が不用意に抜き出し動作を行っても、それ以上の抜き出しが一旦阻止されるので、第１ユニット１０ａの重量により第１ユニット１０ａが作業者の手から離れて落下するのを防止することができる。
【００３９】
ユニット突起部１３ａ，１３ｂは、筐体突起部５に当たった後、筐体突起部５上に至る（図６（ｃ）参照）。そして、ユニット突起部１３ａ，１３ｂが筐体突起部５を乗り越え、機器筐体１から第１ユニット１０ａの抜き出しが完了する（図６（ｄ）参照）。なお、ユニット突起部１３ａ，１３ｂが筐体突起部５に当たった際、作業者が、第１ユニット１０ａを僅かに持ち上げて、ユニット突起部１３ａ，１３ｂを筐体突起部５上に上げると、作業者は、第１ユニット１０ａの重量をある程度認識しつつ、第１ユニット１０ａの抜き出しを行うことになる。この場合、作業者は、第１ユニット１０ａが第１収納空間２ａ内から抜き出たときには（図６（ｄ）参照）、第１ユニット１０ａの重量をある程度認識しているため、第１ユニット１０ａをしっかりと保持することができる。
【００４０】
以上、本実施形態でも、第一実施形態と基本的に同様に、機器筐体１のユニット載置板３に筐体突起部５が設けられ、各ユニット１０ａ，１０ｂのユニット底板１２にユニット突起部１３ａ，１３ｂが設けられているので、第一実施形態と同様に、各ユニット１０ａ，１０ｂの抜き出し時における各ユニット１０ａ，１０ｂの落下を防止することができると共に、部品点数の増加の回避により、装置コストの抑制及び装置の大型化の回避を図ることができる。
【００４１】
特に、本実施形態のように、複数のユニット１０ａ，１０ｂを有するＲＡＩＤ装置ａでは、複数のユニット１０ａ，１０ｂが収納される収納空間２ａ，２ｂのそれぞれを小さくできるので、より装置の大型化を抑えることができる。
【００４２】
なお、以上の各実施形態において、筐体突起部５の開口部４側における突出量の変化率を筐体突起部５の収納空間奥側における突出量の変化率より小さくすることが好ましい。この場合、筐体突起部５の開口部４側における突出量の変化率を小さくする方法として、例えば、筐体突起部５の開口部４（又は開口部４ａ，４ｂ）側を傾斜の緩やかなテーパー面にする方法や、第一突起とこの第一突起よりも突出量が小さく且つ第一突起の開口部４（又は開口部４ａ，４ｂ）側に隣接した第二突起とで筐体突起部５を形成する方法等が考えられる。このように、筐体突起部５の開口部４（又は開口部４ａ，４ｂ）側における突出量の変化率を小さくすることで、ユニット１０（又はユニット１０ａ，１０ｂ）の機器筐体１に対する装着動作時に、ユニット１０（又はユニット１０ａ，１０ｂ）を機器筐体1の収納空間２（又は収納空間２ａ，２ｂ）内にスムーズに入れることができる。また、同様の目的で、ユニット突起部１３（又はユニット１３ａ，１３ｂ）の収納空間奥側における突出量の変化率を開口部側の変化率より小さくすることが好ましい。
【００４３】
また、以上では、電子機器の例として、ＲＡＩＤ装置ａの例を示したが、電子機器はサーバ装置等の他の電子機器であってもよいことは勿論である。また、上述の例では、機器筐体内に二つの収納空間を設け、それぞれにユニットを収納しているが、これらを三個以上にしてもよい。
【符号の説明】
【００４４】
１……機器筐体
２……収納空間
２ａ……第１収納空間
２ｂ……第２収納空間
３……ユニット載置板
４……開口部
４ａ……第１開口部
４ｂ……第２開口部
５……突起部（筐体突起部）
ａ……ＲＡＩＤ装置
１０……ユニット
１０ａ……第１ユニット
１０ｂ……第２ユニット
１１……電子部品
１２……ユニット底板
１３……突起部（ユニット突起部）
１３ａ……第１突起部（第１ユニット突起部）
１３ｂ……第２突起部（第２ユニット突起部）
１４……電子部品
【図１】
0005423775.tif 000002
【図２】
0005423775.tif 000003
【図３】
0005423775.tif 000004
【図４】
0005423775.tif 000005
【図５】
0005423775.tif 000006
【図６】
0005423775.tif 000007